(57)【要約】【課題】  コストを最小限に押さえ、小型で、清掃用の蓋が不用意に開く事がなく、埃や異物をデジタルカメラ内に残さず回収する事ができるデジタルカメラ及びクレードル装置システム。【解決手段】  デジタルカメラには被写体を撮像する撮像素子と、少なくとも１つ以上の光学素子からなる撮像装置で、光学素子は撮像装置内で振動可能に保持され、クレードル装置に取り付ける事で開く蓋とを有し、クレードル装置には光学素子を振動させる振動アクチュエーターと、蓋を開閉駆動する蓋駆動装置と、振動アクチュエーターの振動により光学素子から落ちてくる埃や異物を吸引する吸引装置と、それらを駆動回路を有し、デジタルカメラをクレードル装置に装着する事で蓋が開き、振動アクチュエーターを駆動する事で光学素子を振動させ埃や異物を振るい落とし、その埃や異物を吸引する吸引装置によりデジタルカメラの清掃を行う。【選択図】  図１
2008042464.tif 000002
【特許請求の範囲】
【請求項１】
デジタルカメラと、前記デジタルカメラを着脱自在に保持するクレードル装置システムに於いて、
前記デジタルカメラ内に配置され被写体を撮像する撮像素子と、少なくとも１つ以上の光学素子と、前記撮像素子と前記光学素子により構成される撮像装置で、前記光学素子は前記撮像装置内で振動可能に保持され、
クレードル装置には前記光学素子を振動させる振動アクチュエーターと、前記振動アクチュエーターを制御する駆動回路を有し、
前記デジタルカメラを前記クレードル装置に装着する事で前記振動アクチュエーターを駆動し前記光学素子を振動させる事を特徴とするデジタルカメラ。
【請求項２】
請求項１記載のデジタルカメラに於いて、
前記デジタルカメラには前記クレードル装置に取り付ける事で開く蓋と、
前記クレードル装置には前記蓋を開閉駆動する蓋駆動装置と、前記蓋駆動装置を制御する駆動回路を有し、
前記クレードル装置に前記デジタルカメラを取り付けることで、前記蓋が開く事を特徴とするデジタルカメラ。
【請求項３】
請求項１ないし２記載のデジタルカメラに於いて、
前記クレードル装置には前記振動アクチュエーターの振動により前記光学素子に付着した埃や異物を吸引する吸引装置と、前記吸引装置を制御する駆動回路を有し、
前記振動アクチュエーターより長い時間前記吸引装置を作動させている事を特徴とするデジタルカメラ。
【請求項４】
デジタルカメラと、前記デジタルカメラを着脱自在に保持するクレードル装置システムに於いて、
前記デジタルカメラ内に配置され被写体を撮像する撮像素子と、少なくとも１つ以上の光学素子と、前記撮像素子と前記光学素子により構成される撮像装置で、前記光学素子は前記撮像装置内で振動可能に保持され、
クレードル装置には前記光学素子を振動させる振動アクチュエーターと、前記振動アクチュエーターを制御する駆動回路を有し、
前記デジタルカメラを前記クレードル装置に装着する事で前記振動アクチュエーターを駆動し前記光学素子を振動させる事を特徴とするクレードル装置システム。
【請求項５】
請求項４記載のクレードル装置システムに於いて、
前記デジタルカメラには前記クレードル装置に取り付ける事で開く蓋と、
前記クレードル装置には前記蓋を開閉駆動する蓋駆動装置と、前記蓋駆動装置を制御する駆動回路を有し、
前記クレードル装置に前記デジタルカメラを取り付けることで、前記蓋が開く事を特徴とするクレードル装置システム。
【請求項６】
請求項４ないし５記載のクレードル装置システムに於いて、
前記クレードル装置には前記振動アクチュエーターの振動により前記光学素子に付着した埃や異物を吸引する吸引装置と、前記吸引装置を制御する駆動回路を有し、
前記振動アクチュエーターより長い時間前記吸引装置を作動させている事を特徴とするクレードル装置システム。
【発明の詳細な説明】
【技術分野】
【０００１】
本発明は、デジタルカメラの撮像素子近傍に付着する埃や異物を除去する撮像装置用清掃装置に関し、更にカメラ内に装填された充電式２次電池の充電を行うクレードル装置とそのシステムに関するものである。
【背景技術】
【０００２】
デジタルカメラの内部に、撮像素子、光学素子、振動アクチュエーター、その駆動回路、電源である電池を有し、振動アクチュエーターを駆動する事で光学素子に付着した埃や異物を取り除き、光学素子近傍に配置した粘着性部材に吸着保持し、一定期間が経過した後にメーカーに修理の形で粘着性部材の交換をするデジタルカメラが考案されている。（例えば特許文献１参照）
また、従来の充電装置（特にクレードル装置）としては充電だけを目的とし複数のクレードル装置を接続可能にしたものがある（例えば特許文献２参照）
【特許文献１】特開2003-319222号公報（第２項、図1）
【特許文献２】特開2005-130655号公報（第２項、図１）
【発明の開示】
【発明が解決しようとする課題】
【０００３】
前記従来技術は、デジタルカメラの内部に、撮像素子、光学素子、振動アクチュエーター、その駆動回路、電源である電池を有し、振動アクチュエーターを駆動する事で光学素子に付着した埃や異物を取り除く装置の全てをカメラ内に内蔵し、清掃を行うためのアクチュエーターを駆動する電源を撮影用の電源と共用としている。更に、振動によって振るい落とされた埃や異物は光学素子近傍に配置された粘着性部材（例えば両面テープ）にて吸着保持し、一定の期間が経過したらメーカーに修理の形で粘着性部材の交換が必要になっている。この為に以下ような問題点がある。
【０００４】
デジタルカメラの製造コストが高い。
【０００５】
デジタルカメラその物が大きくなる。
【０００６】
清掃用アクチュエーターを駆動する電源に制限が掛かり強力な振動が与えられない。
【０００７】
清掃作業中に電力が無くなり清掃作業が中断される。
【０００８】
また、不用意に清掃を行ってしまうと撮影に必要な電源が無くなりシャッターチャンスを逃してしまう恐れもある。
【０００９】
粘着性部材に吸着していても、埃や異物がカメラの中に留まっている。
【００１０】
一定の期間が経過したらメーカーに修理を出し粘着性部材の交換が必要である。
【００１１】
したがって、請求項１記載の本発明が解決しようとする目的は、デジタルカメラ内に配置され被写体を撮像する撮像素子と、少なくとも１つ以上の光学素子と、撮像素子と光学素子により構成される撮像装置で、光学素子は撮像装置内で振動可能に保持し、クレードル装置に振動アクチュエーターと、その振動アクチュエーターを制御する駆動回路を有する事で、清掃システムを備えたデジタルカメラにあっても、コストを最小限に押さえ、小型で、清掃用アクチュエーターに安定した十分な電源を供給することができ、強力で確実な清掃が可能で、デジタルカメラの撮影用電源を無駄に消費する事がない、デジタルカメラ及びクレードル装置システムの提供にある。
【００１２】
請求項２記載の本発明が解決しようとする目的は、デジタルカメラにはクレードル装置に取り付ける事で開く蓋と、クレードル装置には蓋を開閉駆動する蓋駆動装置と、その蓋駆動装置を制御する駆動回路を有し、クレードル装置にデジタルカメラを取り付けることによって、蓋が開く様に構成される事で、不用意に蓋が開き埃や異物（ゴミ）の侵入のないデジタルカメラ及びクレードル装置システムの提供にある。
【００１３】
請求項３記載の本発明が解決しようとする目的は、クレードル装置には振動アクチュエーターの振動により光学素子に付着した埃や異物（ゴミ）を吸引する吸引装置と、吸引装置を制御する駆動回路を有する事で、振動により落ちてくる埃や異物（ゴミ）をデジタルカメラ内に残さず回収でき、メーカーでの粘着性部材の交換が不要なデジタルカメラ及びクレードル装置システムの提供にある。
【課題を解決するための手段】
【００１４】
デジタルカメラと、前記デジタルカメラを着脱自在に保持するクレードル装置システムに於いて、前記デジタルカメラ内に配置された被写体を撮像する撮像素子と、少なくとも１つ以上の光学素子と、前記撮像素子と前記光学素子により構成される撮像装置で、前記光学素子は前記撮像装置内で振動可能に保持され、前記デジタルカメラには前記クレードル装置に取り付ける事で開く蓋と、クレードル装置には前記光学素子を振動させる振動アクチュエーターと、前記振動アクチュエーターを制御する駆動回路と、前記蓋を開閉駆動する蓋駆動装置と、前記蓋駆動装置を制御する駆動回路と、前記振動アクチュエーターの振動により前記光学素子に付着した埃や異物を吸引する吸引装置と、前記吸引装置を制御する駆動回路を有し、前記デジタルカメラを前記クレードル装置に装着する事で前記蓋が開き、前記振動アクチュエーターを駆動し前記光学素子を振動させると共に、前記振動アクチュエーターの振動により前記光学素子から落ちてくる埃や異物を吸引する吸引装置を駆動する。
【００１５】
また、前記クレードル装置の前記駆動回路を駆動する電源には商用ＡＣ電源が適している。
【発明の効果】
【００１６】
請求項１記載の本発明が解決しようとする発明の効果は、デジタルカメラ内に配置された被写体を撮像する撮像素子と、少なくとも１つ以上の光学素子と、撮像素子と光学素子により構成される撮像装置で、光学素子は撮像装置内で振動可能に保持され、クレードル装置には振動アクチュエーターと、その振動アクチュエーターを制御する駆動回路を有する事で、清掃システムを備えたデジタルカメラにあっても、コストを最小限に押さえ、小型で、清掃用アクチュエーターに安定した十分な電源を供給することができ、強力で確実な清掃が可能で、デジタルカメラの撮影用電源を無駄に消費する事がない、デジタルカメラ及びクレードル装置システムの提供ができる。
【００１７】
請求項２記載の本発明が解決しようとする発明の効果は、デジタルカメラにはクレードル装置に取り付ける事で開く蓋と、クレードル装置には蓋を開閉駆動する蓋駆動装置と、その蓋駆動装置を制御する駆動回路を有し、クレードル装置にデジタルカメラを取り付けることによって、蓋が開く様に構成される事で、不用意に蓋が開き埃や異物（ゴミ）の侵入のないデジタルカメラ及びクレードル装置システムの提供ができる。
【００１８】
請求項３記載の本発明が解決しようとする発明の効果は、クレードル装置には振動アクチュエーターの振動により光学素子に付着した埃や異物（ゴミ）を吸引する吸引装置と、吸引装置を制御する駆動回路を有し前記振動アクチュエーターより長い時間前記吸引装置を作動させている事で、振動により落ちてくる埃や異物（ゴミ）をデジタルカメラ内に残さず回収できると共に、定期的なメーカー修理の必要ないデジタルカメラ及びクレードル装置システムの提供ができる。
【発明を実施するための最良の形態】
【００１９】
デジタルカメラと、前記デジタルカメラを着脱自在に保持するクレードル装置システムに於いて、前記デジタルカメラ内に配置された被写体を撮像する撮像素子と、少なくとも１つ以上の光学素子と、前記撮像素子と前記光学素子により構成される撮像装置で、前記光学素子は前記撮像装置内で振動可能に保持され、前記デジタルカメラには前記クレードル装置に取り付ける事で開く蓋と、クレードル装置には前記光学素子を振動させる振動アクチュエーターと、前記振動アクチュエーターを制御する駆動回路と、前記蓋を開閉駆動する蓋駆動装置と、前記蓋駆動装置を制御する駆動回路と、前記振動アクチュエーターの振動により前記光学素子に付着した埃や異物を吸引する吸引装置と、前記吸引装置を制御する駆動回路を有し、前記デジタルカメラを前記クレードル装置に装着する事で前記蓋が開き、前記振動アクチュエーターを駆動し前記光学素子を振動させると共に、前記振動アクチュエーターの振動により前記光学素子から落ちてくる埃や異物を吸引する吸引装置を駆動する。
【００２０】
また、前記クレードル装置の前記駆動回路を駆動する電源には商用ＡＣ電源が適している。
【実施例１】
【００２１】
以下、本発明の実施の形態について図面を参照しながら説明する。
【００２２】
図１は本発明の一形態に係るデジタルカメラ及びクレードル装置システムに於ける、デジタルカメラをクレードル装置に装着する直前の主要部断面図で、図２は本発明の一形態に係るデジタルカメラ及びクレードル装置システムに於ける、デジタルカメラをクレードル装置に装着した上面からの主要部透視図で、図３は本発明の一形態に係るデジタルカメラの内部に配置された撮像素子ユニットの側面からの断面図で、図１０は本発明の一形態に係るデジタルカメラの内部に配置された撮像素子ユニットの分解斜視図で、図４は本発明の一形態に係るデジタルカメラ及びクレードル装置システムに於ける、デジタルカメラをクレードル装置に装着し、デジタルカメラの底面に設けられた蓋が開いた所を示す主要部断面図で、図５は本発明の一形態に係るデジタルカメラを底面から見た主要部透視図で、図６は本発明の一形態に係るデジタルカメラ底面に設けられた蓋が開いた所を示す主要部透視図で、図７は本発明の一形態に係るデジタルカメラ及びクレードル装置システムに於ける、デジタルカメラをクレードル装置に装着し撮像素子を振動する事により異物を除去している所を示す主要部側面からの断面図で、図８は本発明の一形態に係るデジタルカメラ及びクレードル装置システムに於ける、デジタルカメラをクレードル装置に装着し撮像素子を振動する事により異物を除去している所を示す主要部上面からの断面図で、１はデジタルカメラ、２は撮影レンズ、３は被写体像を観察する第一の位置と撮影退避位置である第二の位置とを回動可能なクイックリターンミラー、４は被写体像を観察する為の光学式ファインダーユニット、５は露出時間を制御するシャッターユニット、６は情報や撮影後の撮影画像を表示する画像表示装置、７はＣＭＯＳセンサーやＣＣＤセンサーなどとその保持部材や各種フィルターにより構成される撮像装置、８はＣＭＯＳセンサーやＣＣＤセンサーなどの撮像素子、９は各種フィルター（ローパスフィルターや赤外カットフィルター）光学素子、１０は各種フィルター（ローパスフィルターや赤外カットフィルター）撮像素子ユニット表層の光学素子、１１は表層の光学素子１０に固定され振動を与えるアクチュエーターとの当接させる振動伝達部材、１２は表層の光学素子１０に振動を与えることで振動することが可能に保持する（例えばゴム製部材）弾性指示部材、１３はデジタルカメラとクレードル装置の着脱面に設けられ開閉可能なデジタルカメラ蓋、１４はクレードル装置に装着した際に互いの位置を決める位置決め部材であると共にカメラ検出ＳＷピンの進入する凹部、１５はデジタルカメラ蓋１３の開閉を駆動する蓋駆動装置である蓋駆動ギヤ、１６は２次電池１７を充電させるためのカメラ側充電コネクター、１７はデジタルカメラを駆動する２次電池で、デジタルカメラが構成されている。
【００２３】
５０はクレードル装置、５１はシーリングゴム、５２はカメラ検出ＳＷピン、５３はカメラ検出ＳＷ、５４はカプラー装置である所のカプラーギヤ、５５はカプラーギヤ５４を駆動するギヤ、５６はギヤ５５とカプラーギヤ５４を駆動するカメラ蓋開閉モータ、カメラ検出ＳＷピン５２からカメラ蓋開閉モータ５６までが蓋駆動装置で、５７は圧電素子である所の振動アクチュエーター、５８は支柱（図２及び図８では５８a及び５８b）、５９は振動アクチュエーター５７を図１にて上方に負勢するバネ、６０は振動アクチュエーター５７を保持する振動アクチュエーター保持部材、６１は振動アクチュエーター保持ユニット駆動モータ、６３はカム部材、６２は振動アクチュエーター保持部材６０を振動アクチュエーター保持ユニット駆動モータ６１の回転力によりカム部材６３を回動するための連結部材、６４は吸引モータ、６５は吸引ファン、６６は吸引パイプ、６６aは吸引口、６６bは排気口、６７はフィルター、６８はクレードル装置制御回路、６９はクレードル装置制御回路６８を駆動するＡＣ電源プラグ（商用ＡＣ１００Ｖ）である。
【００２４】
次に図１から図８を用いてデジタルカメラをクレードル装置に装着した時の動作について説明する。
【００２５】
図１はデジタルカメラをクレードル装置に装着する直前で、図４はクレードル装置システムに於ける、デジタルカメラをクレードル装置に装着した直後で、図１にてデジタルカメラ１をクレードル装置５０に対し上から下に異動させることで装着するが、この時デジタルカメラ１の底面である１aとシーリングゴム５１が密着すると共に、カメラ側充電コネクター１６は図示せずクレードル側充電コネクターと接続されると共に、クレードル装置５０のカメラ検出ＳＷピン５２がデジタルカメラ１の凹部１４に進入しカメラ検出ＳＷ５３がＯＦＦからＯＮに切り替わり、カメラ蓋開閉モータ５６への給電を行うことで、駆動するギヤ５５をかえしカプラーギヤ５４を回転させる。この時カプラーギヤ５４の先端には凸部（例えばドライバーのマイナス形状）が形成され、蓋駆動ギヤ１５にはカプラーギヤ５４の先端の凸部に対応した凹が形成されていて回転しながら凹凸がかみ合い蓋駆動ギヤ１５が回転する。すると蓋駆動ギヤ１５のギヤはデジタルカメラ蓋１３に形成されたラックギヤとかみ合っていることにより図５から図６のデジタルカメラ底面に設けられた蓋が開いた所を示す状態になり図示せずＳＷによりデジタルカメラ蓋１３が所定位置まで開いたことを検出した所でカメラ蓋開閉モータ５６への給電を停止する。この状態を示すのが図４である。
【００２６】
次に振動アクチュエーター５７は振動アクチュエーター保持部材６０に保持されていて、振動アクチュエーター保持ユニット駆動モータ６１に給電を開始し、連結部材６２をかえしてカム部材６３を回動し（図４で半時計回転）図４の状態から図７の状態まで回転すると、振動アクチュエーター保持部材６０は、支柱（図２及び図８では５８a及び５８b）５８を案内され、振動アクチュエーター５７を図１及び図４及び図７にて上方に負勢するバネ５９により、振動アクチュエーター５７が表層の光学素子１０に固定された振動伝達部材１１に当接するまで上昇し図示せず位置検出ＳＷ（又はタイマーによる時間制御でも構わない）により振動アクチュエーター保持ユニット駆動モータ６１の給電を停止する。この状態が図７及び図８である。
【００２７】
ここまでの動作が異常なく進むと次に振動アクチュエーター５７（振動アクチュエーター５７とは、例えばピエゾ等の圧電素子）により表層の光学素子１０を振動させることにより清掃（圧電素子を用いた清掃技術は公知なので詳しくは記載しない）を開始するわけだが、その直前に排出された異物（ゴミ）を吸引する吸引モータ６４への給電を開始し、吸引ファン６５の回転力により吸引パイプ６６及び吸引口６６aを通じて表層の光学素子１０に付着した異物をデジタルカメラ１底面の穴１ｂからシーリングゴム５１で塞がれた空間から吸引しフィルター６７を通じて空気は排気口６６bより排出される。（家電製品の掃除機と同様の技術）また、振動アクチュエーター５７により表層の光学素子１０を振動させることによる清掃は所定時間行われ清掃の終了後には吸引モータ６４への給電を停止する。
【００２８】
または、吸引モータ６４を使用せず振動アクチュエーター保持部材６０の近傍に図示せず両面テープの粘着面を露出させ両面テープの粘着性を利用して表層の光学素子１０から落ちてくる異物（ゴミ）を吸着しても良い。
【００２９】
また、デジタルカメラ１に配置された２次電池１７への充電作業は清掃後に開始してもデジタルカメラ１をクレードル装置５０に装着した直後から開始しても構わない。
【００３０】
そして、清掃及び充電が完了すると吸引モータ６４への給電を停止すると共に、振動アクチュエーター保持ユニット駆動モータ６１逆転させ、カム部材６３を時計周り方向に回動することで、振動アクチュエーター保持部材６０は支柱（図２及び図８では５８a及び５８b）５８を案内され、バネ５９に抵抗し振動アクチュエーター５７を保持している振動アクチュエーター保持部材６０を図７位置から図４に示す状態まで駆動し図示せず位置検出ＳＷ（又はタイマーによる時間制御でも構わない）により振動アクチュエーター保持ユニット駆動モータ６１への給電を停止する。その後カメラ蓋開閉モータ５６へデジタルカメラ蓋１３を閉じる方向に給電を行うことで、駆動するギヤ５５をかえしカプラーギヤ５４を回転させ、デジタルカメラ蓋１３は図６の状態から図５の状態になり動作が終了する。この時図示せず動作終了を知らせる例えば、ランプを点灯又は点滅やブザーを鳴らすなどのお知らせ手段を動作させ使用者に知らせる。
【００３１】
次に図９の動作を説明するフローチャート図を用いて動作手順を説明する。
【００３２】
デジタルカメラ１をクレードル装置５０にセットすると、ステップS101にてカメラ検出ＳＷがＹＥＳの時はステップS103へ進み、ＮＯの時はステップS102へ進み動作をストップし異常を知らせる。ステップS103ではカメラ蓋開閉モータを正転しステップS104の蓋開ＳＷの変化を待つ、ＹＥＳの場合ステップS106へ進み、所定時間の間にステップS104の蓋開ＳＷがＹＥＳにならないときはＮＯと判断しステップS102へ進み動作をストップし異常を知らせる。次にステップS106では振動アクチュエーター保持ユニット駆動モータを正転しステップS107の振動ユニット位置検出ＳＷの変化を待つ、ＹＥＳの場合ステップS109へ進み、所定時間の間にステップS107の振動ユニット位置検出ＳＷがＹＥＳにならないときはＮＯと判断しステップS108へ進み動作をストップし異常を知らせる。ステップS109では吸引モータの作動を開始し異物（ゴミ）の吸引を開始後、ステップS110に進み振動アクチュエーターの作動を開始し異物（ゴミ）を振るい落とす。ステップS111はステップS110の振動アクチュエーター作動直後に所定時間動作を行うタイマーを作動させ、所定時間後にステップS112にて振動アクチュエーターの作動を停止その後ステップS113にて吸引モータの作動を停止しする。ステップS114ではデジタルカメラ内に装填された２次電池の充電を開始しステップS115にて振動アクチュエーター保持ユニット駆動モータをステップS106の逆方向に回転しステップS116振動ユニット位置検出ＳＷの変化を待つ、ＹＥＳの場合ステップS118へ進み、所定時間の間にステップS116の振動ユニット位置検出ＳＷがＹＥＳにならないときはＮＯと判断しステップS117へ進み動作をストップし異常を知らせる。ステップS118では２次電池の充電の完了後に充電を停止する。その後ステップS119にてカメラ蓋開閉モータをステップS103とは逆方向に回転しステップS120の蓋閉ＳＷの変化を待つ、所定時間の間にステップS120の蓋開ＳＷがＹＥＳにならないときはＮＯと判断しステップS121へ進み動作をストップし異常を知らせる。ＹＥＳの場合ＥＮＤへ進み、図示せず動作終了を知らせる手段を用いて動作の終了を使用者に知らせる。図９を用いて動作手順を説明を説明したが、デジタルカメラに装填された２次電池の充電動作はデジタルカメラとクレードル装置に装着してから動作終了の間であれば図９に示すタイミングのどの位置で開始し終了しても構わない。また吸引モータの作動も振動アクチュエーターの動作の前に作動し、振動アクチュエーターの動作後に停止すればよいので例に上げた位置でなくても構わない。
【００３３】
更に、実施例は一眼レフデジタルカメラを例に上げ説明してきたが撮像素子を用いた機器の全てで応用可能である。
【図面の簡単な説明】
【００３４】
【図１】本発明の一形態に係るデジタルカメラ及びクレードル装置システムに於ける、デジタルカメラをクレードル装置に装着する直前の主要部断面図である。
【図２】本発明の一形態に係るデジタルカメラ及びクレードル装置システムに於ける、デジタルカメラをクレードル装置に装着した上面からの主要部透視図である。
【図３】本発明の一形態に係るデジタルカメラの内部に配置された撮像素子ユニットの側面からの断面図である。
【図４】本発明の一形態に係るデジタルカメラ及びクレードル装置システムに於ける、デジタルカメラをクレードル装置に装着し、デジタルカメラの底面に設けられた蓋が開いた所を示す主要部断面図である。
【図５】本発明の一形態に係るデジタルカメラを底面から見た主要部透視図である。
【図６】本発明の一形態に係るデジタルカメラ底面に設けられた蓋が開いた所を示す主要部透視図である。
【図７】本発明の一形態に係るデジタルカメラ及びクレードル装置システムに於ける、デジタルカメラをクレードル装置に装着し撮像素子を振動する事により異物を除去している所を示す主要部側面からの断面図である。
【図８】本発明の一形態に係るデジタルカメラ及びクレードル装置システムに於ける、デジタルカメラをクレードル装置に装着し撮像素子を振動する事により異物を除去している所を示す主要部上面からの断面図である。
【図９】動作を説明するフローチャート図
【図１０】本発明の一形態に係るデジタルカメラの内部に配置された撮像素子ユニットの分解斜視図である。
【符号の説明】
【００３５】
１  カメラ
２  撮影レンズ
７  撮像素子ユニット
８  撮像素子
９  光学素子
１０  撮像素子ユニット表層の光学素子
１１  振動伝達部材
１２  指示部材
１３  蓋
１５  蓋駆動ギヤ
１６  充電コネクター
１７  ２次電池
５０  クレードル装置
５１  シーリングゴム
５３  カメラ検出ＳＷ
５４  カプラーギヤ
５６  カメラ蓋開閉モータ
５７  振動アクチュエーター
６１  振動アクチュエーター保持ユニット駆動モータ
６４  吸引モータ
６８  クレードル装置制御回路
【図１】
2008042464.tif 000003
【図２】
2008042464.tif 000004
【図３】
2008042464.tif 000005
【図４】
2008042464.tif 000006
【図５】
2008042464.tif 000007
【図６】
2008042464.tif 000008
【図７】
2008042464.tif 000009
【図８】
2008042464.tif 000010
【図９】
2008042464.tif 000011
【図１０】
2008042464.tif 000012